(57)【要約】 【課題】  板紙等の板状材でユーザが自由に組み立て、簡易な発音手段として用いることができるカスタネット及びその製造方法を提供する。【解決手段】  単一の板状材（積層板３０）を屈曲して形成された屈曲部（８）とともに、この屈曲部により開閉角度の変化が可能な第１及び第２の対向片（打合部４、６）と、これら第１又は第２の対向片の対向面側に形成された突部（打撃部１０）と、第１の対向片又は第２の対向片に取付けられて第１の対向片又は第２の対向片の背面部に配置させた引掛部（ゴム輪１８）とを備え、屈曲部を支点として第１の対向片と第２の対向片との角度を変化させて第１の対向片又は第２の対向片と突部とを叩き当てることにより発音させる構成である。【選択図】        図１
2005215526.tif 000002
【特許請求の範囲】
【請求項１】
単一の板状材を屈曲して形成された屈曲部とともに、この屈曲部により角度の変化が可能な第１及び第２の対向片と、
これら第１又は第２の対向片の対向面側に形成された突部と、
前記第１の対向片又は前記第２の対向片に取付けられて前記第１の対向片又は前記第２の対向片の背面部に配置させた引掛部とを備え、
前記屈曲部を支点として前記第１の対向片と前記第２の対向片との角度を変化させて前記第１の対向片又は前記第２の対向片と前記突部とを叩き当てることにより発音させることを特徴とするカスタネット。
【請求項２】
前記第１の対向片と前記第２の対向片の間に弾性リングを懸け回し、この弾性リングが持つ弾性により負荷を前記第１の対向片と前記第２の対向片との間に加えてなることを特徴とする請求項１記載のカスタネット。
【請求項３】
前記弾性リングは、前記第１の対向片及び前記第２の対向片に形成された切欠部に懸け回されたことを特徴とする請求項１記載のカスタネット。
【請求項４】
前記突部は、前記第１の対向片と一体に前記板状材によって形成された突出片の中間部を折り曲げて突出させ、その端部を前記第１の対向片に形成されたスリット内に挿入させてなることを特徴とする請求項１記載のカスタネット。
【請求項５】
前記板状材が、板紙の間に合成樹脂層を介在させてなる積層材からなることを特徴とする請求項１記載のカスタネット。
【請求項６】
前記第１の対向片及び第２の対向片は、前記屈曲部と直交する仮想軸を中心にして対向面側に湾曲してなることを特徴とする請求項１記載のカスタネット。
【請求項７】
複数の板紙を貼り合わせ前記板紙の間に合成樹脂層を介在させて板状材を形成する処理と、
前記板状材又は前記板紙に印刷により所定の表示を施す処理と、
前記板状材を打ち抜き、連鎖状の第１及び第２の対向片を前記板状部材上にカスタネット部材に形成し、又は前記板状材とは独立したカスタネット部材として形成する処理と、
を含むことを特徴とするカスタネットの製造方法。
【発明の詳細な説明】
【技術分野】
【０００１】
本発明は、打楽器等に用いられるカスタネットに関し、紙等の板状材料を用いて構成されるカスタネット及びその製造方法に関する。
【背景技術】
【０００２】
カスタネットは、２枚の円盤状の木片を開閉可能にゴム紐でつなぎ合わせた簡単な構造を持ち、ゴム紐が持つ弾性を利用して各木片を叩き合わせることにより発音させる打楽器である。このような打楽器は、楽器以外の発音手段としても利用され、スポーツ観戦時に用いる鳴り物としての用途もある。
【０００３】
このようなカスタネットに関し、次のような特許文献が存在する。
【特許文献１】特開平８−２９７４８４号公報
【発明の開示】
【発明が解決しようとする課題】
【０００４】
特許文献１には手に固定する鍵盤楽器が開示され、この鍵盤楽器はカスタネットを応用した打楽器である。このような打楽器や本来のカスタネットでは、イベント会場で参加者に販売したり、配布したりすることは不便であるし、参加者が自ら携帯するものとしても馴染まないものである。また、従来のカスタネットの形状が特定されており、合成樹脂の成形品や木材の加工品では成形型や旋盤による大がかりな加工を伴うため、任意形状のものを製造するに手間取るという問題がある。特許文献１では斯かる課題の開示や、その解決手段を開示するものではない。
【０００５】
そこで、本発明は、板紙等の板状材でユーザが自由に組み立て、簡易な発音手段として用いることができるカスタネット及びその製造方法を提供することを目的とする。
【課題を解決するための手段】
【０００６】
上記目的を達成するため、本発明のカスタネット（２）は、単一の板状材（積層板３０）を屈曲して形成された屈曲部（８）とともに、この屈曲部により角度の変化が可能な第１及び第２の対向片（打合部４、６）と、これら第１又は第２の対向片の対向面側に形成された突部（打撃部１０）と、前記第１の対向片又は前記第２の対向片に取付けられて前記第１の対向片又は前記第２の対向片の背面部に配置させた引掛部（ゴム輪１８）とを備え、前記屈曲部を支点として前記第１の対向片と前記第２の対向片との角度を変化させて前記第１の対向片又は前記第２の対向片と前記突部とを叩き当てることにより発音させる構成である。
【０００７】
斯かる構成とすれば、屈曲部を介して連鎖状態にある第１及び第２の対向片は、板状材が持つ弾性により復元力が働き、ユーザがそれらを叩き当てても、元の角度に戻り、繰り返し発音させることができる。
【０００８】
上記目的を達成するためには、前記第１の対向片と前記第２の対向片の間に弾性リングを懸け回し、この弾性リングが持つ弾性により負荷を前記第１の対向片と前記第２の対向片との間に加えるようにした構成としてもよい。斯かる構成とすれば、弾性リングが持つ弾性が第１及び第２の対向片に復元力として作用し、発音間隔を狭め、強力な発音を得ることができる。
【０００９】
上記目的を達成するためには、前記弾性リングは、前記第１の対向片及び前記第２の対向片に形成された切欠部（１６）に懸け回された構成としてもよい。
【００１０】
上記目的を達成するためには、前記突部は、前記第１の対向片と一体に前記板状材によって形成された突出片（１２）の中間部を折り曲げて突出させ、その端部を前記第１の対向片に形成されたスリット（１４）内に挿入させた構成としてもよい。
【００１１】
上記目的を達成するためには、前記板状材が、板紙の間に合成樹脂層を介在させてなる積層材から構成してもよい。斯かる構成とすれば、合成樹脂層が積層された板紙の芯となり、板紙の剛性を高めることができるとともに、発音周波数を高めることができる。
【００１２】
上記目的を達成するためには、前記第１の対向片及び第２の対向片は、前記屈曲部と直交する仮想軸を中心にして対向面側に湾曲した構成としてもよい。
【００１３】
また、上記目的を達成するため、本発明のカスタネットの製造方法は、複数の板紙を貼り合わせ前記板紙の間に合成樹脂層を介在させて板状材を形成する処理と、前記板状材又は前記板紙に印刷により所定の表示を施す処理と、前記板状材を打ち抜き、連鎖状の第１及び第２の対向片を前記板状部材上にカスタネット部材に形成し、又は前記板状材とは独立したカスタネット部材として形成する処理とを含む構成である。
【発明の効果】
【００１４】
本発明によれば、次のような効果が得られる。
【００１５】
(1) ユーザが必要に応じて容易に組立てて発音手段として用いることができるとともに、コンパクトで安全性の高いカスタネットを実現できる。
【００１６】
(2)   薄い板状材で形成できるので、所望の形状のものを容易に得ることができる。
【００１７】
(3) コンパクトで安全性の高いカスタネットを容易かつ安価に製造できる。
【発明を実施するための最良の形態】
【００１８】
（第１の実施形態）
本発明の第１の実施形態について、図１及び図２を参照して説明する。図１は、第１の実施形態のカスタネットを示す斜視図、図２はその使用状態を示す図である。
【００１９】
このカスタネット２は、第１及び第２の対向片として円盤状の２枚の打合部４、６を備えるとともに、各打合部４、６を屈曲部８で連結し、屈曲部８で屈曲させる構成である。これら打合部４、６及び屈曲部８は複数の板紙等の例えば、積層材である板状材料で形成されている。各打合部４、６は平面上同一形状であり、屈曲部８を中心に左右対称形である。また、この実施形態では、第１の対向片である打合部４側には、打合部４と同一部材で突部として打撃部１０が形成されている。この打撃部１０は、打合部４から延長した突出片１２の中間部を山形に折り曲げるとともに、その先端側を打合部４に形成されたスリット１４に挿入することにより、断面山形形状である。
【００２０】
また、打合部４、６において、屈曲部８側には例えば、勾玉状の切欠部１６が形成されているとともに、この切欠部１６に弾性リングとして例えば、ゴム輪１８が懸け回されている。打合部４、６の背面側に露出したゴム輪１８はカスタネット２を指等に固定するための引掛部を構成している。
【００２１】
斯かる構成とすれば、例えば、図２に示すように、カスタネット２は打合部６の背面側に露出しているゴム輪１８に指を入れて手に固定でき、この場合、人指し指と親指との間隔内にカスタネット２の打合部４、６を臨ませ、人指し指と親指との間隔、即ち、角度を変化させると、その変化に応じて打合部４側の打撃部１０で打合部６側を打撃することができ、この打撃によって発音させることができる。この場合、両指によって操作しているが、指に固定されたカスタネット２をユーザの体の一部に当てることにより、同様に発音させることができる。
（第２の実施形態）
次に、この本発明の第２の実施形態について、図３〜図５を参照して説明する。図３〜図５は本発明のカスタネットの製造方法の実施形態を示し、図３は、カスタネットの素材の形成法を示す図、図４はカスタネットの原形を示す平面図、図５はカスタネットの組立を示す斜視図である。
【００２２】
カスタネット２を製造する材料として例えば、２枚の板紙２０、２２が用いられ、これら板紙２０、２２の表面側にはカスタネット２の表面模様や形状線等が印刷されている。図３（Ａ）に示すように、基盤２４の上面には板紙２０が接着面側を上にして設置され、その表面に合成樹脂を含む接着剤２６が塗布されている。この接着剤２６の上に板紙２２を矢印Ｃに示すように乗せて両者を接着すれば、図３（Ｂ）に示すように、板紙２０、２２の間に接着剤２６からなる樹脂層２８を介在させて一体化した板状素材としての積層板３０が形成される。この場合、板紙２０、２２の間に接着剤２６に代えて樹脂シートを介在させ、加圧及び加熱による熱圧着処理にて板紙２０、２２の間に樹脂シートを密着させることにより樹脂層２８を生成させ、積層板３０を構成してもよい。
【００２３】
この積層板３０は、その表面部にカスタネット２の打合部４、６及び突出片１２を表す形状線や模様等が印刷されている。そこで、打合部４、６及び突出片１２を形状線に沿ってトムソン抜きにより成形加工を施し、この場合、打合部４にはコ字形のスリット１４を形成する。この実施形態では、屈曲部８、３２、３４にはトムソン抜き、その他の方法によるハーフカットで切込みを形成する。また、突出片１２には、スリット１４に挿入可能な半円形の挿入部３６が一体に形成されている。
【００２４】
斯かる形態とすれば、図５に示すように、屈曲部８で打合部４、６を折り曲げ、打合部４、６の対向面側で交差するようにして切欠部１６にゴム輪１８を懸けるとともに、突出片１２を屈曲部３２を山折り、屈曲部３４を谷折りにし、挿入部３６をスリット１４に挿入することにより、打合部４の内面側に山形の打撃部１０が形成される。この結果、図１に示したカスタネット２が完成する。
【００２５】
このような積層材３０を用いたカスタネット２によれば、板紙２０、２２が両者の中間に介在させた樹脂層２８で強化されるとともに剛性が高まり、打撃音の音高が高められると同時に、紙と樹脂層の積層板３０が持つ特有の音が得られる。また、手から発せられる水分による軟化を防止することもできる。また、屈曲部８を構成する切込みの深さを浅く、例えば、積層板３０の板紙２０、２２の何れか一方のみに切込みを入れ、樹脂層２８に切込みを形成しない構成とすれば、屈曲部８の強度の強化低下が防止されるとともに、屈曲による復元力が高められる。
【００２６】
また、このような樹脂層２８と板紙２０、２２との積層板３０で形成されたカスタネット２では、トムソン抜きの応力と、接着剤２６の乾燥とが相俟って、例えば、図６に示すように、屈曲部８と直交する仮想線Ｌを中心とする曲率で打合部４、６が向き合うように湾曲させることができる。この実施形態では、トムソン抜きの方向がＤ方向である。この方向と逆方向とすれば、打合部４、６が反対方向に反り会うように構成することも可能である。
（第３の実施形態）
本発明の第３の実施形態について、図７〜図９を参照して説明する。図７〜図９は本発明の第３の実施形態に係るカスタネット及びその製造方法を示し、図７はカスタネットの原形を示す平面図、図８はカスタネットの組立を示す斜視図、図９は第３の実施形態に係るカスタネットを示す斜視図である。第１の実施形態と同一部分には同一符号を付し、その説明を省略する。
【００２７】
この実施形態では、打合部４から切欠部１６を省略し、打合部６側に切欠部１６を形成するとともに、スリット１４が形成されている。また、打合部６側に切込み３８、４０を形成するとともに、打合部６に連結部４１を介在させて連続された打撃片４２が連続して形成されている。
【００２８】
そして、図８に示すように、打合部６側から連結部４１及び打撃片４２を切り離し、打撃片４２をその折曲部４４で台形状に折り曲げ、挿入部４６を打合部６のスリット１４に挿入するとともに、切欠部１６にゴム輪１８を懸け回すことにより、図９に示すように、カスタネット２が得られる。
【００２９】
斯かる構成からなるカスタネット２によっても、ゴム輪１８に指を掛けて屈曲部８の復元力を利用し、打合部４、６の角度の操作により打ち合わせ、同様に発音させることができる。
【００３０】
なお、カスタネット２に用いる素材として上記実施形態では、板紙及び樹脂による積層板を一例として記載したが、プラスチック板や経木等の板状素材を用いてもよい。
【００３１】
また、上記実施形態の積層板３０では板紙２０、２２及び樹脂層２８からなる３層として説明したが、３枚以上の板板と２層以上の樹脂層２８からなる４層状の積層材としてもよく、１枚の板紙と樹脂層又は樹脂板の積層板としてもよい。
【００３２】
以上説明したように、本発明の最も好ましい実施形態等について説明したが、本発明は上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【図面の簡単な説明】
【００３３】
【図１】本発明の第１の実施形態に係るカスタネットを示す斜視図である。
【図２】使用状態を示す図である。
【図３】本発明の第２の実施形態に係るカスタネットの製造方法に用いられる板状材の構成を示す図である。
【図４】カスタネットの原形を示す平面図である。
【図５】カスタネットの組立を示す斜視図である。
【図６】カスタネットを示す正面図である。
【図７】本発明の第３の実施形態に係るカスタネットの原形を示す平面図である。
【図８】カスタネットの組立を示す斜視図である。
【図９】第３の実施形態に係るカスタネットを示す斜視図である。
【符号の説明】
【００３４】
２  カスタネット
４、６  打合部（第１及び第２の対向片）
８  屈曲部
１０  打撃部
１２  突出片
１６  切欠部
１８  ゴム輪
３０  積層板（板状材）
【図１】
2005215526.tif 000003
【図２】
2005215526.tif 000004
【図３】
2005215526.tif 000005
【図４】
2005215526.tif 000006
【図５】
2005215526.tif 000007
【図６】
2005215526.tif 000008
【図７】
2005215526.tif 000009
【図８】
2005215526.tif 000010
【図９】
2005215526.tif 000011